(57)【特許請求の範囲】
【請求項１】
１または２以上の電子チケットを示す表示画面を表示するＩＣカードであって、
前記電子チケットの情報を記憶している記憶部と、
前記記憶部に記憶されている前記電子チケットの情報を読み出す読み出し部と、
前記読み出し部により読み出された前記電子チケットの情報に含まれる前記電子チケットの使用情報に基づいて、前記電子チケットが使用中であるか否かを判断する判断部と、
前記判断部の判断結果に基づいて、前記電子チケットの画面表示の表示順位を決定する表示順位決定部と、
前記表示順位決定部により決定された前記画面表示の表示順位に応じて前記電子チケットを示す表示画面を生成する表示画面生成部と、
を備え、
前記読み出し部は、前記表示順位決定部による決定に必要な前記電子チケットの表示順位情報を読み出し、
前記判断部は、前記表示順位情報に含まれる前記電子チケットの使用情報に基づいて前記電子チケットが使用中であるか否かを判断する、ＩＣカード。
【請求項２】
前記表示順位決定部は、前記電子チケットの表示順位情報に応じて前記電子チケットの表示順位を決定し、
前記表示画面生成部は、前記表示順位決定部により決定された表示順位の高い前記表示順位情報に対応する前記電子チケットを含む前記表示画面を生成する、請求項１に記載のＩＣカード。
【請求項３】
前記表示順位決定部は、前記判断部により前記電子チケットが使用中であると判断された場合に、前記電子チケットの画面表示の優先順位を高くする、請求項１に記載のＩＣカード。
【請求項４】
前記判断部は、前記電子チケットの使用情報に基づいて、前記電子チケットが使用中であるか、未使用であるか、使用済であるか否かを判断し、
前記表示順位決定部は、使用中の前記電子チケット、未使用の前記電子チケット、使用済の前記電子チケットの順に前記表示順位を決定する、請求項１に記載のＩＣカード。
【請求項５】
前記表示画面生成部は、前記表示順位決定部により決定された前記表示順位がもっとも高い前記電子チケットを示す表示画面を生成する、請求項１に記載のＩＣカード。
【請求項６】
前記表示画面生成部は、ユーザ入力に応じて、前記表示順位決定部により決定された表示順位の高い前記電子チケットから順に前記電子チケットを示す表示画面を生成する、請求項１に記載のＩＣカード。
【請求項７】
前記表示順位決定部は、前記電子チケットの使用情報に基づいて前記電子チケットの前記表示順位を決定した後に、前記電子チケットの使用日情報に基づいて前記表示順位を決定する、請求項１に記載のＩＣカード。
【請求項８】
前記表示順位決定部は、使用中であると判断された前記電子チケットを使用日の遅い順に整列させ、未使用であると判断された前記電子チケットを使用日の早い順に整列させ、使用済であると判断された前記電子チケットを使用日の遅い順に整列させ、該整列の順序に応じて前記表示順位を決定する、請求項７に記載のＩＣカード。
【請求項９】
前記記憶部はＩＣチップであり、前記電子チケットの情報は、前記ＩＣチップと通信可能な外部装置により前記ＩＣチップに記憶される、請求項１に記載のＩＣカード。
【請求項１０】
前記外部装置により前記ＩＣチップに前記電子チケットの情報が更新された場合に、前記表示順位決定部による表示順位の決定が行われる、請求項９に記載のＩＣカード。
【請求項１１】
１または２以上の電子チケットを示す表示画面を表示するＩＣカードにおいて実行される表示方法であって、
前記電子チケットの情報を記憶するステップと、
前記記憶している前記電子チケットの情報のうち、表示順位を決定するための表示順位情報を読み出すステップと、
前記読み出した前記表示順位情報に含まれる前記電子チケットの使用情報に基づいて、前記電子チケットが使用中であるか否かを判断するステップと、
前記判断の結果に基づいて、前記電子チケットの画面表示の表示順位を決定するステップと、
前記決定した前記画面表示の表示順位に応じて前記電子チケットを示す表示画面を生成するステップと、
を含むことを特徴とする、表示方法。
【請求項１２】
コンピュータを、
１または２以上の電子チケットを示す表示画面を表示するＩＣカードであって、
前記電子チケットの情報を記憶している記憶部と、
前記記憶部に記憶されている前記電子チケットの情報を読み出す読み出し部と、
前記読み出し部により読み出された前記電子チケットの情報に含まれる前記電子チケットの使用情報に基づいて、前記電子チケットが使用中であるか否かを判断する判断部と、
前記判断部の判断結果に基づいて、前記電子チケットの画面表示の表示順位を決定する表示順位決定部と、
前記表示順位決定部により決定された前記画面表示の表示順位に応じて前記電子チケットを示す表示画面を生成する表示画面生成部と、
を備え、
前記読み出し部は、前記表示順位決定部による決定に必要な前記電子チケットの表示順位情報を読み出し、
前記判断部は、前記表示順位情報に含まれる前記電子チケットの使用情報に基づいて前記電子チケットが使用中であるか否かを判断する、ＩＣカードとして機能させるための、プログラム。
【請求項１３】
非接触通信可能なＩＣチップを搭載したＩＣカードと、前記ＩＣチップと非接触通信可能なリーダ／ライタと、前記リーダ／ライタと接続されたサーバ装置と、を備える表示システムであって、
前記リーダ／ライタを介して前記サーバ装置から送信される電子チケットの情報をＩＣチップに記憶し、
前記ＩＣカードは、
前記記憶部に記憶されている前記電子チケットの情報を読み出す読み出し部と、
前記読み出し部により読み出された前記電子チケットの情報に含まれる前記電子チケットの使用情報に基づいて、前記電子チケットが使用中であるか否かを判断する判断部と、
前記判断部の判断結果に基づいて、前記電子チケットの画面表示の表示順位を決定する表示順位決定部と、
前記表示順位決定部により決定された前記画面表示の表示順位に応じて前記電子チケットを示す表示画面を生成する表示画面生成部と、
を備え、
前記読み出し部は、前記表示順位決定部による決定に必要な前記電子チケットの表示順位情報を読み出し、
前記判断部は、前記表示順位情報に含まれる前記電子チケットの使用情報に基づいて前記電子チケットが使用中であるか否かを判断することを特徴とする、表示システム。
【発明の詳細な説明】
【技術分野】
【０００１】
本発明は、表示装置、表示方法、プログラムおよび表示システムに関し、特に、電子チケットの情報を効率よく表示させる表示装置、表示方法、プログラムおよび表示システムに関する。
【背景技術】
【０００２】
現在、鉄道の改札等で非接触ＩＣカードを用いた改札処理が行われている。当該ＩＣカードを、自動改札機に備えられたリーダ／ライタにかざすことにより改札処理が可能となる。ＩＣカードは小型で形態性が良好であり、利便性が高いため、一般に広く利用されるようになった。しかしながら、ＩＣカード内の情報は、外部のリーダ／ライタにかざさなければ確認することができないため不便であった。
【０００３】
そこで、ＩＣカードに電子ペーパーやＬＣＤパネル等の表示デバイスを設けて、ＩＣカード内の情報を表示できるようにし、カードの利便性を向上させることが考えられている（例えば特許文献１）。このようなＩＣカードを用いて、鉄道等のチケット情報をＩＣカードに書き込み、当該チケットの情報を電子チケットとして表示デバイスに表示させて利用することが可能となる。
【０００４】
【特許文献１】特開２００３−２０８５８２号公報
【発明の開示】
【発明が解決しようとする課題】
【０００５】
しかし、複数の電子チケットが書き込まれた場合には、ＩＣカードの表示領域や消費電力が限られているため、書き込まれた電子チケットの情報のすべてを表示させるのは利便性が低く、効率が悪いという問題があった。
そこで、本発明は、上記問題に鑑みてなされたものであり、本発明の目的とするところは、電子チケットの情報をＩＣカードの表示デバイスに効率よく表示することが可能な、新規かつ改良された表示装置、表示方法、プログラムおよび表示システムを提供することにある。
【課題を解決するための手段】
【０００６】
上記課題を解決するために、本発明のある観点によれば、１または２以上の電子チケットを示す表示画面を表示する表示装置が提供される。上記表示装置は、電子チケットの情報を記憶している記憶部と、記憶部に記憶されている電子チケットの情報を読み出す読み出し部と、読み出し部により読み出された電子チケットの情報に含まれる電子チケットの使用情報に基づいて、電子チケットが使用中であるか否かを判断する判断部と、判断部の判断結果に基づいて、電子チケットの画面表示の表示順位を決定する表示順位決定部と、表示順位決定部により決定された画面表示の表示順位に応じて電子チケットを示す表示画面を生成する表示画面生成部と、を備える。上記表示順位決定部は、判断部により電子チケットが使用中であると判断された場合に、電子チケットの画面表示の優先順位を高くする。
【０００７】
かかる構成によれば、記憶部に記憶されている電子チケットの情報を読み出して、電子チケットの情報に含まれる電子チケットが使用中であるか否かによって電子チケットの表示順位が決定され、該表示順位に応じて電子チケットを示す表示画面が生成される。例えば、使用中であると判断された電子チケットの情報の表示順位を高くすることにより、表示画面には、使用中の電子チケットが優先的に表示される。そして、ユーザ入力に応じて、使用中ではない電子チケットが順次表示される。
【０００８】
これにより、表示画面には、ユーザがもっとも必要とする使用中の電子チケットの情報を優先的に表示することができる。また、ユーザ入力に応じて、優先順位の高い電子チケットの情報から順に表示することができる。したがって、ユーザは、短時間かつ低消費電力でユーザに所望の情報を提供することが可能となる。
【０００９】
また、判断部は、電子チケットの使用情報に基づいて、電子チケットが使用中であるか、未使用であるか、使用済であるか否かを判断し、表示順位決定部は、使用中の電子チケット、未使用の電子チケット、使用済の電子チケットの順に表示順位を決定するようにしてもよい。かかる構成によれば、電子チケットの情報を、電子チケットが未使用であるか、使用中であるか、使用済であるかによって分類し、使用中、未使用、使用済の順に表示順位を決定して表示画面に表示させることが可能となる。これにより、ユーザがもっとも必要とする電子チケットの情報を優先的に表示させて、効率よく所望の情報を提供することが可能となる。
【００１０】
また、表示画面生成部は、表示順位決定部により決定された表示順位がもっとも高い電子チケットを示す表示画面を生成するようにしてもよい。また、表示画面生成部は、ユーザ入力に応じて、表示順位決定部により決定された表示順位の高い電子チケットから順に電子チケットを示す表示画面を生成するようにしてもよい。かかる構成によれば、表示画面には、ユーザがもっとも必要とする電子チケットの情報を優先的に表示することができる。また、ユーザ入力に応じて、優先順位の高い電子チケットの情報から順に表示することができる。したがって、ユーザは、短時間かつ低消費電力でユーザに所望の情報を提供することが可能となる。
【００１１】
また、表示順位決定部は、電子チケットの使用情報に基づいて電子チケットの表示順位を決定した後に、電子チケットの使用日情報に基づいて表示順位を決定するようにしてもよい。さらに、表示順位決定部は、使用中であると判断された電子チケットを使用日の遅い順に整列させ、未使用であると判断された電子チケットを使用日の早い順に整列させ、使用済であると判断された電子チケットを使用日の遅い順に整列させ、該整列の順序に応じて表示順位を決定するようにしてもよい。かかる構成によれば、電子チケットの使用情報だけでなく、使用日情報に基づいて表示順位を決定することができる。これにより、ユーザにもっとも必要な情報から順に表示させることができる。また、電子チケットの情報の優先順位を決定して保持しておくため、短時間かつ低消費電力でユーザに所望の情報を提供することが可能となる。
【００１２】
また、読み出し部は、表示順位決定部による決定に必要な電子チケットの表示順位情報を読み出し、表示順位決定部は、電子チケットの表示順位情報に応じて電子チケットの表示順位を決定し、表示画面生成部は、表示順位決定部により決定され表示順位の高い表示順位情報に対応する電子チケットを含む表示画面を生成するようにしてもよい。かかる構成によれば、記憶部に記憶している電子チケットのうち、表示順位を決定するために必要な電子チケットの情報である表示順位情報を読み出して、表示順位情報に含まれる使用情報フラグに基づいて、表示順位を決定する。そして、決定された表示順位に応じて表示画面を生成することができる。
【００１３】
これにより、記憶部に記憶された電子チケットのすべての情報を読み出さなくとも、電子チケットの表示順位を決定することができるため、消費電力やメモリ等の資源の使用量を低下させることが可能となる。また、ユーザがＩＣチップ１０に記憶されたすべての情報を確認する必要がない場合には、表示する必要のある電子チケットの情報を読み出せばよいため、必要最小限のデータを読み出すだけでユーザの所望の情報を効率よく表示させることが可能となる。
【００１４】
また、記憶部はＩＣチップであり、電子チケットの情報は、ＩＣチップと通信可能な外部装置によりＩＣチップに記憶されるようにしてもよい。外部装置によりＩＣチップに電子チケットの情報が更新された場合に、分類部による分類および表示順位決定部による表示順位の決定が行われるようにしてもよい。かかる構成によれば、ＩＣチップに電子チケットの情報が記憶される都度、表示順位が決定されて、該表示順位がＩＣチップに記憶される。これにより、ユーザがＩＣチップに記憶されている電子チケットの情報を確認する際に、もっとも最新かつ必要な電子チケットの情報を効率よく表示させることが可能となる。
【００１５】
上記課題を解決するために、本発明の別の観点によれば、１または２以上の電子チケットを示す表示画面を表示する表示装置において実行される表示方法であって、電子チケットの情報を記憶するステップと、記憶している電子チケットの情報を読み出すステップと、読み出した電子チケットの情報に含まれる電子チケットの使用情報に基づいて、電子チケットが使用中であるか否かを判断するステップと、判断の結果に基づいて、電子チケットの画面表示の表示順位を決定するステップと、決定した画面表示の表示順位に応じて電子チケットを示す表示画面を生成するステップと、を含む表示方法が提供される。
【００１６】
上記課題を解決するために、本発明の別の観点によれば、コンピュータを、１または２以上の電子チケットを示す表示画面を表示する表示装置であって、電子チケットの情報を記憶している記憶部と、記憶部に記憶されている電子チケットの情報を読み出す読み出し部と、読み出し部により読み出された電子チケットの情報に含まれる電子チケットの使用情報に基づいて、電子チケットが使用中であるか否かを判断する判断部と、判断部の判断結果に基づいて、電子チケットの画面表示の表示順位を決定する表示順位決定部と、表示順位決定部により決定された画面表示の表示順位に応じて電子チケットを示す表示画面を生成する表示画面生成部と、を備える表示装置として機能させるための、プログラムが提供される。
【００１７】
かかるプログラムは、例えばＣＰＵ、ＲＯＭまたはＲＡＭなどを含むコンピュータのハードウェア資源に、上記のような表示装置の各構成の機能を実行させることができる。すなわち、当該プログラムを用いるコンピュータを、上述の表示装置として機能させることが可能である。
【００１８】
上記課題を解決するために、本発明の別の観点によれば、非接触通信可能なＩＣチップを搭載した表示装置と、ＩＣチップと非接触通信可能なリーダ／ライタと、リーダ／ライタと接続されたサーバ装置と、を備える表示システムであって、リーダ／ライタを介してサーバ装置から送信される電子チケットの情報をＩＣチップに記憶し、表示装置は、記憶部に記憶されている電子チケットの情報を読み出す読み出し部と、読み出し部により読み出された電子チケットの情報に含まれる電子チケットの使用情報に基づいて、電子チケットが使用中であるか否かを判断する判断部と、判断部の判断結果に基づいて、電子チケットの画面表示の表示順位を決定する表示順位決定部と、表示順位決定部により決定された画面表示の表示順位に応じて電子チケットを示す表示画面を生成する表示画面生成部と、を備える表示システムが提供される。
【発明の効果】
【００１９】
以上説明したように本発明によれば、電子チケットの情報をＩＣカードの表示デバイスに効率よく表示することができる。
【発明を実施するための最良の形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
（第１の実施形態）
まず、図１を参照して、本発明の第１の実施形態にかかる表示装置の構成例について説明する。以下では、ＩＣチップおよび表示デバイスを備え、ＩＣチップに記憶された内容を表示デバイスに表示可能な表示装置１００に本発明の表示装置を適用して以下説明する。表示装置１００は、ＩＣチップを搭載したＩＣカードを例示することができる。
【００２２】
図１に示したように、表示装置１００は、ＩＣチップ１０、表示制御ＣＰＵ２０、表示パネル３０、スイッチ４０などを備える。ＩＣチップ１０は、記憶部の一例であって、電子チケット等の情報を記憶する機能を有する。ＩＣチップ１０は、電気的接点を介して通信を行う接触通信可能なＩＣチップでもよいし、電気的接点を介さず通信を行う非接触可能なＩＣチップであってもよい。あるいは、接触型と非接触型の両方の機能を持つ複合型ＩＣチップであってもよい。
【００２３】
表示制御ＣＰＵ２０は、表示装置１００に備えられた表示パネル３０への表示を制御する機能を有し、例えば、ＩＣチップ１０に記憶された情報を表示パネル３０に表示させたり、スイッチ４０を介したユーザ入力に応じて表示パネル３０の表示を変更したりする。表示制御ＣＰＵ２０については、後で詳細に説明する。
【００２４】
表示パネル３０は、表示画面の一例であって、ＩＣチップ１０に記憶された情報等を表示させるインタフェースである。表示パネル３０としては、電子ペーパーやＬＣＤパネル等の表示パネルを例示することができる。スイッチ４０は、ユーザ等の入力を受け付ける機能を有するインタフェースであって、ボタンやタッチパネル等を例示できる。電池５０は、ＩＣチップ１０、表示制御ＣＰＵ２０、表示パネル３０等に電源を供給する機能を有し、例えば太陽電池等を例示できる。
【００２５】
上記したように、電池５０は他の装置に供給されなくとも電力を供給可能であるが、電力消費量の低い電池である。したがって、少ない電力を効率よく利用して、表示制御ＣＰＵ２０がＩＣチップ１０に記憶された情報を表示パネル３０に表示させる必要がある。また、ＩＣチップ１０に記憶された情報のすべてを表示する必要がない場合には、ユーザがもっとも必要とする情報から先に表示させることにより、表示装置１００の利便性を高めることができる。
【００２６】
本実施形態においては、ＩＣチップ１０に鉄道のチケットの情報が電子チケットとして書き込まれており、該電子チケットの情報が表示パネル３０に表示される場合について説明する。鉄道のチケットの情報とは、例えば新幹線のチケットや、特急券のチケット等を例示することができる。ＩＣチップ１０が接触通信可能なＩＣチップである場合には、券売機等の外部機器に表示装置１００が挿入されて電気的にＩＣチップ１０に電子チケットの情報が書き込まれる。また、ＩＣチップ１０が非接触通信可能なＩＣチップである場合には、ＩＣチップ１０と非接触通信可能なリーダ／ライタに表示装置１００がかざされることにより、リーダ／ライタに接続された外部機器から送信された電子チケットの情報が書き込まれる。
【００２７】
ＩＣチップ１０に複数の電子チケットの情報が書き込まれた場合には、ユーザにもっとも必要な情報を効率よく表示する必要がある。そこで、本実施形態においては、ＩＣチップ１０に書き込まれた複数の電子チケットを分類したり整列したりして、ユーザが必要な情報を選別して表示デバイス３０の限られた表示領域に効率よく表示させる。複数の電子チケットをどのように分類したり整列したりするのかについては、以後、表示制御ＣＰＵ２０について詳細に説明することにより明らかにされる。以上、本実施形態にかかる概要
について説明した
【００２８】
次に、図２を参照して、表示制御ＣＰＵ２０の機能構成について詳細に説明する。図２は、表示制御ＣＰＵ２０の機能構成を示すブロック図である。図２に示したように、表示制御ＣＰＵ２０は、読み出し部１０２と、判断部１０４と、表示順位決定部１０６と、表示画面生成部１０８などを備える。
【００２９】
読み出し部１０２は、表示装置１００の記憶部であるＩＣチップ１０から、ＩＣチップ１０に記憶されている電子チケットの情報を読み出す機能を有する。読み出し部１０２は、ＩＣチップ１０から読み出した電子チケットの情報を、判断部１０４に提供する。ここで、図３を参照して、ＩＣチップ１０に記憶されている電子チケットの情報について説明する。図３は、ＩＣチップ１０に記憶されている電子チケットの情報の内容を説明する説明図である。図３に示したように、電子チケットの情報２００には、電子チケットの発券時（購入時）に書き込まれる情報や、自動改札機に入るときに書き込まれる情報や、自動改札機を出るときに書き込まれる情報などが含まれる。
【００３０】
電子チケットの発券時に書き込まれる情報としては、電子チケットの情報２０１のうち、発券フラグ２０２、未使用フラグ２０３、購入日２０６、利用予定日２０７、出発時刻２０９、乗車駅２１０、到着時間２１１、到着駅２１３、列車名２１３、号車２１４、座席番号２１５、座席２１６などが挙げられる。また、自動改札機に入るときに書き込まれる情報としては、使用中フラグ２０４、利用日２０８などが挙げられる。また、改札を出るときに書き込まれる情報としては、使用済フラグ２０５などが挙げられる。
【００３１】
上記した電子チケットの情報２００のうち、発券フラグ２０２、未使用フラグ２０３、使用中フラグ２０４、使用済フラグ２０５のフラグ情報以外の情報を、電子チケットとして表示パネル３０に表示する必要がある。また、未使用フラグ２０３、使用中フラグ２０４、使用済フラグ２０５のフラグが、電子チケットの使用の状態を示す使用情報である。
【００３２】
また、読み出し部１０２により読み出されるデータは、電子チケットの情報２０１毎に読み出される。図４を参照して、各電子チケットの情報の読み出し単位について説明する。図４は、各電子チケットの情報の読み出し単位について説明する説明図である。図４に示したように、読み出し部１０２は、電子チケット１の情報のすべて、電子チケット２の情報のすべて、電子チケット３の情報のすべて、電子チケット４の情報のすべてを読み出す。読み出し部１０２は、電子チケットの情報を、読み出し単位毎に判断部１０４に提供してもよいし、複数の電子チケットの情報をまとめて判断部１０４に提供するようにしてもよい。
【００３３】
図２に戻り、判断部１０４は、読み出し部１０２により読み出された電子チケットの情報に含まれる電子チケットの使用情報に基づいて、電子チケットが使用中であるか否かを判断する機能を有する。上記したように、未使用フラグ２０３、使用中フラグ２０４、使用済フラグ２０５のフラグが設定されているか否かにより、電子チケットの使用状態を判断することができる。例えば、発券時には、未使用フラグ２０３のみが設定され、自動改札機に入ると使用中フラグ２０４が設定され、自動改札機を出ると使用済みフラグ２０５が設定される。したがって、判断部１０４は、使用中フラグ２０４が設定されている場合には、ユーザが自動改札機に入り、電子チケットを使用中であることを判断でき、使用済フラグ２０５が設定されている場合には、ユーザが自動改札機から出て、電子チケットが使用済であることを判断することができる。
【００３４】
表示順位決定部１０６は、判断部１０４の判断結果に基づいて、電子チケットの画面表示の表示順位を決定する機能を有する。上記したように、判断部１０４により、ＩＣチップ１０に記憶された電子チケットが使用中か否かが判断される。使用中フラグ２０４が設定された電子チケットがある場合には、ユーザが自動改札を入ったことになる。そうすると、ユーザにとってもっとも表示する必要のある電子チケットの情報は、これから使用する電子チケットの情報である。したがって、表示順位決定部１０６は、使用中フラグ２０４が設定された電子チケットの画面表示の優先順位を高くする。
【００３５】
また、スイッチ４０を介したユーザの入力に応じて、未使用フラグ２０３が設定された電子チケットの情報のみ表示させたり、使用中フラグ２０４が設定された電子チケットの情報のみ表示させたり、使用済フラグ２０５が設定された電子チケットの情報のみ表示させたりしてもよい。この場合、さらに利用日（使用日情報）２０８に基づいて電子チケットの表示順位を決定するようにしてもよい。
【００３６】
例えば、未使用フラグ２０３が設定された電子チケットは利用日２０８の早い順に整列させ、使用中フラグ２０４が設定された電子チケットは利用日２０８の早い順に整列させ、使用済フラグ２０５が設定された電子チケットは利用日２０８の遅い順に整列させて表示順位を決定する。これにより、ユーザにとってもっとも必要な電子チケットの情報の優先順位を高くすることが可能となる。表示順位決定部１０６は、決定した表示順位を表示画面生成部１０６に通知する。
【００３７】
表示画面生成部１０８は、表示順位決定部１０６により決定された画面表示の表示順位に応じて電子チケットを示す表示画面を生成して、表示パネル３０に提供する機能を有する。表示画面生成部１０８は、１つの電子チケットを示す表示画面を次々に生成してもよいし、複数の電子チケットを示す表示画面を生成するようにしてもよい。また、ユーザの入力に応じて、表示順位決定部１０６により決定された表示順位の高い電子チケットから順に電子チケットを示す表示画面を生成するようにしてもよい。また、ユーザの入力に応じて、未使用の電子チケットのみ、使用中の電子チケットのみ、使用済の電子チケットのみを表示させてもよい。
【００３８】
以上、表示制御ＣＰＵ２０の機能構成について説明した。次に、図５〜図７に基づいて、表示装置１００における表示方法について説明する。図５〜図７は表示装置１００における表示方法を示すフローチャートである。図５に示したように、まず、表示装置１００がリーダ／ライタにかざされたか否かが判定される（Ｓ１０２）。ステップＳ１０２において表示装置１００がリーダ／ライタにかざされたと判定された場合には、外部のリーダ／ライタ等により、ＩＣチップに記憶された電子チケットの情報が更新される（Ｓ１０３）。ステップＳ１０３において電子チケットの情報が更新された後に、表示順位設定処理がなされる（Ｓ１０４）。ステップＳ１０４における表示順位設定処理について、図６を参照して詳細に説明する。
【００３９】
図６は、表示装置１００における表示順位設定処理を示すフローチャートである。図６に示したように、ＩＣチップ１０に記憶された電子チケットの情報をすべて読み出す（Ｓ１０６）。そして、使用情報を示すフラグ（未使用フラグ２０３、使用中フラグ２０４、使用済フラグ２０５）に基づいて、電子チケットの情報を、使用中データ、未使用データ、使用済データの３種のデータに分類する（Ｓ１０８）。
【００４０】
そして、使用中データに分類された電子チケットの情報を、利用日の遅い順にソート（整列）する（Ｓ１１０）。ステップＳ１１０において、利用日が同日であった場合には、出発時間の遅い順にソートする。次に、未使用データに分類された電子チケットの情報を、利用日の早い順にソートする（Ｓ１１２）。ステップＳ１１２において、利用日が同日であった場合には、出発時間の早い順にソートする。次に、使用済データに分類された電子チケットの情報を、利用日の遅い順にソートする（Ｓ１１４）。ステップＳ１１４において、利用日が同日であった場合には、出発時間の遅い順にソートする。
【００４１】
そして、ステップＳ１０８において３種のデータに分類し、それぞれソートされたデータの表示順位を、ソート後の使用中データ、ソート後の未使用データ、ソート後の使用済データに設定する（Ｓ１１６）。以上、表示順位設定処理について説明した。次に、図７を参照して、ユーザの入力に応じた電子チケットの表示方法について説明する。
【００４２】
図７は、ユーザ入力に応じた電子チケットの表示方法を示すフローチャートである。まず、ユーザ入力があったか否かを判断する（Ｓ１２０）。ステップＳ１２０におけるユーザの入力とは、表示装置１００に備えられたスイッチやボタン等が押下されることをいう。例えば、表示パネルがＬＣＤなどであった場合には、スイッチ等を押下することにより、電子チケットの情報を表示したり、非表示としたりするようにしてもよい。
【００４３】
ステップＳ１２０において、ユーザ入力があったと判断された場合には、表示順位をもっとも高く設定された電子チケットの情報を表示する（Ｓ１２２）。そして、ユーザのキー操作に応じて、先に設定された表示順位の順に電子チケットの情報を表示する（Ｓ１２４）。ユーザ入力に応じた電子チケットの表示方法について説明した。
【００４４】
以上、第１実施形態にかかる表示装置１００について説明した。表示装置１００によれば、ＩＣチップ１０に記憶している電子チケットの情報を読み出して、電子チケットの情報に含まれる電子チケットの使用情報に基づいて電子チケットの表示順位が決定され、該表示順位に応じて電子チケットを示す表示画面が生成される。電子チケットの使用情報とは、電子チケットが未使用であるか、使用中であるか、使用済みであるかの情報である。表示画面には、使用中の電子チケットが優先的に表示される。そして、ユーザ入力に応じて、未使用の電子チケット、使用済みの電子チケットが順次表示される。
【００４５】
これにより、表示画面には、ユーザがもっとも必要とする電子チケットの情報を優先的に表示することができる。また、ユーザ入力に応じて、優先順位の高い電子チケットの情報から順に表示することができる。したがって、ユーザは、短時間かつ低消費電力でユーザに所望の情報を提供することが可能となる。
【００４６】
第１実施形態では、ＩＣチップ１０に記憶された電子チケットの情報のすべてを読み出して、電子チケットの画面表示の表示順位を決定している。上記したように、ＩＣチップ１０は太陽電池等の電力消費量の低い電池を使用するため、少ない電力を効率よく利用する必要がある。そこで、第２実施形態においては、表示順位を決定するのに必要な情報のみを読み出すことにより、電力やメモリ等の資源の消費を最小限にすることを可能とした。
【００４７】
（第２の実施形態）
本発明の第２の実施形態にかかる表示装置１００′の構成は、第１実施形態とほぼ同様であるため、詳細な説明は省略する。本実施形態においては、第１実施形態と異なる、電子チケットの情報の読み出し方法について特に詳細に説明する。本実施形態においては、読み出し部１０２が、表示順位を決定するために必要な電子チケットの情報（以降表示順位情報）を読み出す。表示順位を決定するために必要な電子チケットの情報とは、例えば、図３に示した電子チケットの情報のうち、発券フラグ２０２、未使用フラグ２０３、使用中フラグ２０４、使用済フラグ２０５、利用予定日２０７、出発時刻２０９などである。  
【００４８】
次に、図８を参照して、読み出し部１０２において読み出される表示順位情報について説明する。図８は、読み出し部１０２において読み出される表示順位情報について説明する説明図である。図８に示したように、表示順位情報３０１は、例えば、発券フラグ２０２、未使用フラグ２０３、使用中フラグ２０４、使用済フラグ２０５、利用予定日２０７、出発時刻２０９などである。読み出し部１０２は、表示順位情報３０１のみを読み出して、判断部１０４に提供する。
【００４９】
判断部１０４は、表示順位情報３０１に含まれる使用情報フラグに基づいて、電子チケットが使用中であるか否かを判断する。そして、表示順位決定部１０６は、表示順位情報３０１に応じて、電子チケットの表示順位を決定する。これにより、電子チケットのすべての情報を読み出さなくとも、電子チケットの表示順位を決定することができるため、消費電力やメモリ等の資源の使用量を低下させることが可能となる。
【００５０】
表示画面生成部１０８は、表示順位決定部１０６により決定された表示順位に応じて表示画面を生成する。図８に示したように、例えば、まず、表示順位を決定するために必要な表示順位情報３０１のみをＩＣチップ１０から読出し、表示画面を生成する際に、表示順位情報以外の電子チケットの情報（３０２〜３０５のいずれか）をＩＣチップ１０から読み出して表示画面を生成するようにしてもよい。これにより、ユーザがＩＣチップ１０に記憶されたすべての情報を確認する必要がない場合には、表示する必要のある電子チケットの情報を読み出せばよいため、必要最小限のデータを読み出すだけでユーザの所望の情報を効率よく表示させることが可能となる。
【００５１】
次に、図９を参照して、表示順位情報３０１の詳細について説明する。本実施形態においては、ＩＣチップ１０への書き込みは、１６バイト単位で書き込みがされるものとして以下説明する。まず、表示順位情報３０１および電子チケットの情報３０２のＩＣチップへの書き込みについて説明する。電子チケットの発券時には、表示順位情報３０１の内容と、電子チケットの情報３０２の内容とが発券機等から表示装置１００′に送信される。
【００５２】
発券機等から送信された表示順位情報３０１の内容は、ＩＣチップ１０の表示順位情報を書き込むためのメモリ領域に書き込まれる。このとき、書き込み済みの電子チケットの情報がない場合には、「チケット１」のメモリ領域に書き込む。既に書き込み済みの電子チケットの情報がある場合には、書き込み済みの電子チケットのデータに重ならないように書き込む。表示順位情報の内容をメモリに書き込む際には、予め書き込むアドレスを決めておく。また、表示順位情報以外の電子チケットの情報も予め書き込むアドレスを決めておくか、もしくは、表示順位情報以外の電子チケットの情報を書き込んだアドレスを表示順位情報とともに書き込んでおく。これにより、表示順位情報の内容から、表示順位情報以外の電子チケットの情報が書き込まれたメモリ領域にアクセスすることができる。
【００５３】
図９に示したように、例えば、表示順位情報３０１は、ＩＣチップ１０の表示順位情報を書き込むためのメモリ領域の、１バイト（Ｂｙｔｅ）目から４バイト目をチケット１の表示順位情報に、５バイト目から８バイト目をチケット２の表示順位情報に、９バイト目〜１２バイト目をチケット３の表示順位情報に、１３バイト目から１６バイト目をチケット４の表示順位情報に割り当てている。そして、各電子チケットの表示順位情報とともに、詳細データ書き込み先アドレスも書き込まれる。
【００５４】
次に、表示順位情報３０１および電子チケットの情報３０２の読み出しについて説明する。まず、表示順位情報３０１が書き込まれたメモリ領域から、１６バイトの表示順位情報３０１を読み出す。そして、上記のとおり表示順位情報の内容に基づいて表示順位を決定して表示すべき電子チケットを特定する。例えば、「チケット１」が表示すべき電子チケットとして特定された場合には、表示順位情報３０１に含まれる「チケット１」の「詳細データ書き込み先アドレス」を参照して、該当アドレスの電子チケットの情報３０２を読み出す。これにより、表示順位情報１６バイトを読み出した後、表示する電子チケットの情報３２バイトを読み出せば、電子チケットの全データを読み出さずともユーザの所望の情報を表示させることが可能となる。
【００５５】
次に、図１０および図１１に基づいて、本実施形態にかかる表示装置１００′における表示方法について説明する。図１０および図１１は、表示装置１００′における表示方法を示すフローチャートである。本実施形態にかかる表示方法については、第１実施形態と異なる表示方法について特に詳細に説明する。表示装置１００′がリーダ／ライタにかざされた場合に、外部のリーダ／ライタ等によりＩＣチップに記憶された電子チケットの情報が更新される処理は第１実施形態と同様である。
【００５６】
図１０は、表示装置１００′における表示順位設定処理を示すフローチャートである。図１０に示したように、ＩＣチップ１０に記憶された電子チケットの情報のうち、表示順位情報を読み出す（Ｓ２０２）。表示順位情報に含まれる使用情報を示すフラグ（未使用フラグ２０３、使用中フラグ２０４、使用済フラグ２０５）に基づいて、電子チケットの情報を、使用中データ、未使用データ、使用済データの３種のデータに分類する（Ｓ２０４）。
【００５７】
そして、使用中データに分類された表示順位情報を、利用日の遅い順にソート（整列）する（Ｓ２０６）。ステップＳ２０６において、利用日が同日であった場合には、出発時間の遅い順にソートする。次に、未使用データに分類された表示順位情報を、利用日の早い順にソートする（Ｓ２０８）。ステップＳ２０８において、利用日が同日であった場合には、出発時間の早い順にソートする。次に、使用済データに分類された表示順位情報を、利用日の早い順にソートする（Ｓ２１０）。ステップＳ２１０において、利用日が同日であった場合には、出発時間の早い順にソートする。
【００５８】
そして、ステップＳ２０４において３種のデータに分類し、それぞれソートされたデータの表示順位を、ソート後の使用中データ、ソート後の未使用データ、ソート後の使用済みデータに設定する（Ｓ２１２）。以上、表示順位設定処理について説明した。次に、図１１を参照して、ユーザ入力に応じて電子チケットの表示方法について説明する。
【００５９】
図１１は、ユーザ入力に応じた電子チケットの表示方法を示すフローチャートである。まず、ユーザ入力があったか否かを判断する（Ｓ２２０）。ステップＳ２２０において、ユーザ入力があったと判断された場合には、表示順位のもっとも高い電子チケットの情報を読み出す（Ｓ２２２）。そして、ステップＳ２２２において読み出した電子チケットの情報を表示する（Ｓ２２４）。次に、ユーザのキー操作に応じて、先に設定された表示順位の順に電子チケットの情報を読み出す（Ｓ２２６）。そして、ステップＳ２２６において読み出した電子チケットの情報を表示する（Ｓ２２８）。
【００６０】
以上、第２実施形態にかかる表示装置１００′について説明した。表示装置１００′によれば、ＩＣチップ１０に記憶している電子チケットのうち、表示順位を決定するために必要な電子チケットの情報である表示順位情報を読み出して、表示順位情報に含まれる使用情報フラグに基づいて、表示順位を決定する。そして、決定された表示順位に応じて表示画面を生成する。
【００６１】
これにより、ＩＣチップ１０に記憶された電子チケットのすべての情報を読み出さなくとも、電子チケットの表示順位を決定することができるため、消費電力やメモリ等の資源の使用量を低下させることが可能となる。また、ユーザがＩＣチップ１０に記憶されたすべての情報を確認する必要がない場合には、表示する必要のある電子チケットの情報を読み出せばよいため、必要最小限のデータを読み出すだけでユーザの所望の情報を効率よく表示させることが可能となる。
【００６２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００６３】
例えば、上記実施形態では、ＩＣチップ１０に電子チケットの情報が記憶されているとしたが、本発明はきかかる例に限定されない。例えば、映画のチケットの情報をＩＣチップ１０に記憶するようにしてもよい。通常、映画を鑑賞する場合には、映画館への入場は確認するが、映画館からの出場についての確認は行っていない。したがって、映画のチケットが記憶される場合の使用情報は、使用中の電子チケットであるか否かを判断することはできず、未使用であるか使用済であるか否かが判断される。
【００６４】
したがって、表示順位決定部は、未使用の電子チケットのうち、もっとも早い（もっとも先に使用される）電子チケットの情報の表示順位を高くしたり、使用済の電子チケットのうち、もっとも遅い（直前の）電子チケットの情報の表示順位を高くしたりすることにより、ユーザがもっとも必要とする情報を表示することが可能となる。
【図面の簡単な説明】
【００６５】
【図１】本発明の第１の実施形態にかかる表示装置の構成例を示す説明図である。
【図２】同実施形態にかかる表示制御ＣＰＵの機能構成を示すブロック図である。
【図３】同実施形態にかかるＩＣチップに記憶されている電子チケットの情報の内容を説明する説明図である。
【図４】同実施形態にかかる各電子チケットの情報の読み出し単位について説明する説明図である。
【図５】同実施形態にかかる表示方法を示すフローチャートである。
【図６】同実施形態にかかる表示方法を示すフローチャートである。
【図７】同実施形態にかかる表示方法を示すフローチャートである。
【図８】本発明の第２の実施形態にかかる読み出し部において読み出される表示順位情報について説明する説明図である。
【図９】同実施形態にかかる表示順位情報の詳細について説明する説明図である。
【図１０】同実施形態にかかる表示方法を示すフローチャートである。
【図１１】同実施形態にかかる表示方法を示すフローチャートである。
【符号の説明】
【００６６】
１００、１００′    表示装置
１０２    読み出し部
１０４    判断部
１０６    表示順位決定部
１０８    表示画面生成部
１０      ＩＣチップ
２０      表示制御ＣＰＵ
３０      表示パネル
４０      スイッチ
【図１】
0004535152.tif 000002
【図２】
0004535152.tif 000003
【図３】
0004535152.tif 000004
【図４】
0004535152.tif 000005
【図５】
0004535152.tif 000006
【図６】
0004535152.tif 000007
【図７】
0004535152.tif 000008
【図８】
0004535152.tif 000009
【図９】
0004535152.tif 000010
【図１０】
0004535152.tif 000011
【図１１】
0004535152.tif 000012